(57)【要約】【課題】受信したカラー画像をプリントするか、他の記憶手段に転送するかをユーザが選択し得るカラー画像受信装置を提供する。【解決手段】ｓＹＣＣ−ＪＰＥＧデータを受信すると受信フラグをセットし、ｓＹＣＣ−ＪＰＥＧデータ受信をメイン処理に通知する（ＳＴ１〜ＳＴ８）。メイン処理で、プリントすべきデータがあると（ＳＴ１１）、ｓＹＣＣ−ＪＰＥＧデータ受信フラグのセットを確認し（ＳＴ１２）、ｓＹＣＣ−ＪＰＥＧ受信済をユーザに通知する（ＳＴ１３）。この通知は、受信データをプリントするか転送するかの問い合わせの表示とともに行う。ユーザは、問い合わせ表示に対し、プリントか転送の指示入力を行う（ＳＴ１４、ＳＴ１５）。転送指示の場合、ＰＣ等へｓＹＣＣ−ＪＰＥＧ受信データを転送する（ＳＴ１６）。プリント指示の場合は、そのｓＹＣＣ−ＪＰＥＧ受信データをプリント処理する（ＳＴ２１）。【選択図】      図３
2004165873.tif 000002
【特許請求の範囲】
【請求項１】
通信回線よりカラー画像を受信するカラー画像受信部と、受信したカラー画像を記憶するカラー画像記憶部と、カラー画像を受信するとその旨を報知する報知手段と、受信して記憶したカラー画像をプリントするか他の記憶手段に転送するかを選択指示する選択指示手段と、を備えたことを特徴とするカラー画像受信装置。
【請求項２】
前記画像データが転送される記憶手段は、外部装置のカラー画像記憶部であることを特徴とする請求項１記載のカラー画像受信装置。
【請求項３】
前記プリントを行う際に、プリントのみを行うか、プリントとともにデータ保存も行うかを選択可能にしたことを特徴とする請求項１又は請求項２記載のカラー画像受信装置。
【発明の詳細な説明】
【０００１】
【発明の属する技術分野】
この発明は、カラー画像通信機能を有するファクシミリ装置、複合機などのカラー画像受信装置に関する。
【０００２】
【従来の技術】
一般に、カラー画像を送受信するファクシミリ装置は、カラースキャナで読み取ったカラー画像を電送してハードコピーする方式と、デジタルカメラ等で撮影したデータを電送してコピーするソフトコピー方式がある。
【０００３】
また、従来、カラー画像受信装置において、モノクロ受信画像は自動的にプリントするが、カラー受信画像は自動的にプリントせず、メモリ受信ファイルを作成するに止まるとともに、この受信画像のプリントはユーザのオペレーションによってのみ起動可能にしたものがある（例えば、特許文献１参照）。
【０００４】
【特許文献１】
特開平８−１１１７８３号公報
【０００５】
【発明が解決しようとする課題】
上記したカラー画像の電送において、特にソフトコピーにおいては、ＦＡＸのプロトコルを介して電送されるが、受信機側では、受信したらすぐにプリントアウトされることになる。また、特許文献１の技術のように、受信後、自動的ではないが、ユーザのオペレーションによって、プリントアウトしている。しかしながら、デジタルカメラの撮影データ等のカラー受信データを受信時に自動、手動にかかわらず、自装置でプリントするのみならず、一旦メモリ等に記憶しておき、受信したことをユーザに知らせ、ユーザがプリントするのか、ＰＣ等の別の記憶媒体に転送するのか、選択指示できれば便利である。
【０００６】
この発明は上記問題点に着目してなされたものであって、受信したカラー画像をプリントするか、他の記憶手段に転送するかをユーザが選択し得るカラー画像受信装置を提供することを目的としている。
【０００７】
【課題を解決するための手段】
この発明のカラー画像受信装置は、通信回線よりカラー画像を受信するカラー画像受信部と、受信したカラー画像を記憶するカラー画像記憶部と、カラー画像を受信するとその旨を報知する報知手段と、受信して記憶したカラー画像をプリントするか他の記憶手段に転送するかを選択指示する選択指示手段と、を備えている。
【０００８】
この発明のカラー画像受信装置では、デジタルカメラの撮影画像等のカラー画像データを受信すると、その旨を報知する。オペレータは、この報知を受けてカラー画像をプリントするか、他の記憶装置に転送するかを選択指示手段により選択する。転送を選択すれば、そのカラー画像データをＰＣ等の記憶手段に転送し、表示すれば、そのカラー画像を目視できる。
【０００９】
この発明のカラー画像受信装置では、前記画像データが転送される記憶手段は、外部装置のカラー画像記憶部であるとすることができる。
【００１０】
また、前記プリントを行う際に、プリントのみを行うか、プリントとともにデータ保存も行うかを選択可能とすることができる。
【００１１】
【発明の実施の形態】
以下、実施の形態により、この発明を更に詳細に説明する。図１に、この発明の実施形態カラー画像受信装置全体の概略構成を示すブロック図を示す。
【００１２】
この実施形態カラー画像受信装置は、ファクシミリ機能とコピー機能とを備えたいわゆるカラー複合機として構成したもので、主制御部１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、バス１３とを備える。
【００１３】
主制御部（ＣＰＵ）１は、この装置を構成する各部を制御する機能を有する。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１４】
ＲＯＭ４は、この装置を制御するためのプログラムを記憶する。ＲＡＭ５は、データ等を一時的に記憶する。このＲＡＭ５には、ｓＹＣＣ−ＪＰＥＧファイル記憶用に割り当てられる記憶部５ａ、ｓＹＣＣ−ＪＰＥＧ受信フラグ、保存フラグ等を記憶するフラグ記憶部５ｂを備えている。
【００１５】
画像メモリ６は、受信画像データや画像読取部９で読み取った画像データを一時的に記憶する。表示部（ＬＣＤ）７は、アイコン、キーボタンの表示や、データの送受信に必要なメッセージ内容等を表示する。表示部７は、図４に示す画面を表示できる。操作部８はワンタッチキー、登録キー、ＦＡＸモード・コピーモード・スキャナモード等の複数の動作モードについてのモード切り替えを行うための動作モード切替キー、テンキー、スタートキー、その他のキーを有する。画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記録部１０は、カラープリントも可能である。
【００１６】
ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからＪＰＥＧファイル等のデータ転送の要求を受けると、記憶部５ａのｓＹＣＣ−ＪＰＥＧ画像データをＬＡＮＩ／Ｆ１２、ＬＡＮ１５を介して、外部ＰＣに転送する。
【００１７】
次に、図２に示すフロー図を参照して、この実施形態複合機の受信処理動作を説明する。着信があり、この処理ルーチンに入ると、先ず、ステップＳＴ１においては、ＤＩＳ信号（標準の受信機能を有することを示すデジタル識別信号）を送信する。次に、ステップＳＴ２へ移行する。ステップＳＴ２においては、ＤＣＳ信号（デジタル命令信号）を受信したか否かを判定する。ＤＣＳ信号が受信でない場合は、ステップＳＴ９へ移行する。一方、ＤＣＳ信号を受信した場合は、ステップＳＴ３へ移行する。ステップＳＴ９においては、Ｔ１時間（ＤＩＳ送信終了時にタイマＴ１を起動）が経過したか否か判定する。Ｔ１時間経過でない場合は、ステップＳＴ１へ戻る。一方、Ｔ１時間経過しても、ＤＣＳ信号を受信しない場合は、回線を断する。
【００１８】
ステップＳＴ３においては、ｓＹＣＣ−ＪＰＥＧ画像データが送信されて来たか否か判定する。ｓＹＣＣ−ＪＰＥＧ画像データが送信されて来た場合は、ステップＳＴ４へ移行する。一方、他の画像データが送信されて来た場合には、従来の通信手順へ、つまり通常のＦＡＸ受信へ移行する。ステップＳＴ４においては、フラグ記憶部５ｂのｓＹＣＣ−ＪＰＥＧデータ受信フラグをセット（＝１）する。次に、ステップＳＴ５へ移行する。ステップＳＴ５においては、ｓＹＣＣ−ＪＰＥＧ画像データのデータ受信処理を実行し、画像メモリ６に格納する。そして、ステップＳＴ６へ移行する。ステップＳＴ６においては、ＥＯＰ信号（手順終了信号）の受信、ＭＣＦ信号（メッセージ確認信号）の送信等の後手順を実行する。続いて、ステップＳＴ７へ移行する。このステップＳＴ７においては、回線を断する。次に、ステップＳＴ８へ移行する。ステップＳＴ８においては、ｓＹＣＣ−ＪＰＥＧデータ受信をメインルーチンに通知し、受信処理を終了する。
【００１９】
続いて、図３に示すフロー図を参照して、この実施形態複合機のメイン処理動作を説明する。この処理ルーチンに入ると、ステップＳＴ１１において、プリントすべきデータが有りか否か判定する。プリントすべきデータが有りの場合は、ステップＳＴ１２へ移行する。ステップＳＴ１２においては、フラグ記憶部５ｂのｓＹＣＣ−ＪＰＥＧデータ受信フラグがセットされているか否か判定する。ｓＹＣＣ−ＪＰＥＧデータ受信フラグがセットされている場合には、ステップＳＴ１３へ移行する。一方、フラグがセットされていない場合は、ステップＳＴ１８へ移行する。ステップＳＴ１８においては、通常プリント処理を起動する。
【００２０】
ステップＳＴ１３においては、ｓＹＣＣ−ＪＰＥＧデータ受信済をユーザに通知する。この通知は、図４に示すように、表示部７に“ｓＹＣＣ−ＪＰＥＧデータを受信いたしました。次のいずれかを選択して下さい”のメッセージを表示する。この通知は、表示に代えて音声で行っても良い。次に、ステップＳＴ１４へ移行する。ステップＳＴ１４においては、ユーザのオペレータが操作部８のキー８ｐ、８ｑ、８ｒのいずれかを操作するか待機する。次に、ステップＳＴ１５において、オペレータが“転送”に対応するキー８ｐか、“プリント”に対応するキー８ｑ、８ｒのいずれかを選択し、指示したか否か判定する。キー８ｐを押下した場合は、ステップＳＴ１６へ移行する。一方、キー８ｑ、あるいは８ｒを押下した場合は、ステップＳＴ１９へ移行する。
【００２１】
ステップＳＴ１６においては、ＲＡＭ５の記憶部５ａに記憶しているｓＹＣＣ−ＪＰＥＧデータをＬＡＮＩ／Ｆ１２、ＬＡＮ１５を介して外部のＰＣ等へ転送する。続いて、ステップＳＴ１７へ移行する。ステップＳＴ１７においては、データを消去し、メイン処理を終了する。ステップＳＴ１９においては、プリント後データ保存か否か判定する。“データ保存プリント”に対応するキー８ｑが押下されている場合は、ステップＳＴ２０へ移行する。一方“プリントのみ”に対応するキー８ｒが押下されている場合には、ステップＳＴ２０をスキップして、ステップＳＴ２１へ移行する。ステップＳＴ２０においては、フラグ記憶部５ｂに記憶の保存フラグをセットする。続いて、ステップＳＴ２１へ移行する。
【００２２】
ステップＳＴ２１においては、保存フラグのセットの有無の如何にかかわらず、受信し、記憶部５ａに記憶してあるｓＹＣＣ−ＪＰＥＧデータを画像記録部１０でプリント処理する。次に、ステップＳＴ２２へ移行する。ステップＳＴ２２においては、フラグ記憶部５  に記憶の保存フラグが１（セット）か否か判定する。保存フラグ１の場合は、ステップＳＴ２３へ移行する。一方、保存フラグが１でない（＝０）場合は、ステップＳＴ２４へ移行する。ステップＳＴ２３においては、画像メモリ６、あるいは他のメモリにデータを保存し、ステップＳＴ２４においては、データを消去し、メイン処理を終了する。
【００２３】
【発明の効果】
この発明によれば、通信回線よりカラー画像を受信するカラー画像受信部と、受信したカラー画像を記憶するカラー画像記憶部と、カラー画像を受信するとその旨を報知する報知手段と、受信して記憶したカラー画像をプリントするか他の記憶手段に転送するかを選択指示する選択指示手段と、を備えているので、オペレータはソフトコピーのカラー画像データをプリントするか、他の外部の記憶手段に転送するかを選択できる。
【図面の簡単な説明】
【図１】この発明のカラー画像受信装置の一実施形態である複合機の構成を示すブロック図である。
【図２】同実施形態複合機の受信処理を説明するためのフロー図である。
【図３】同実施形態複合機のメイン処理を説明するためのフロー図である。
【図４】同実施形態複合機における転送、プリントの選択指示の問い合わせ表示画面例を示す図である。
【符号の説明】
１        主制御部
２        ＮＣＵ
３        ＭＯＤＥＭ
４        ＲＯＭ
５        ＲＡＭ
６        画像メモリ
７        表示部
８        操作部
８ｐ      “転送”指示キー
８ｑ      “保存プリント”指示キー
８ｒ      “プリントのみ”指示キー
９        画像読取部
１０      画像記録部
１１      ＣＯＤＥＣ
１２      ＬＡＮＩ／Ｆ
１３      バス
１４      電話回線
１５      ＬＡＮ
【図１】
2004165873.tif 000003
【図２】
2004165873.tif 000004
【図３】
2004165873.tif 000005
【図４】
2004165873.tif 000006